(57)【特許請求の範囲】
【請求項１】
ＭＲＩ装置と放射線検出機器とを有するマルチモダリティシステムの前記放射線検出機器に備えられたコリメータであって、
端面と、
放射線が通過する複数の孔と、
前記端面から前記複数の孔のうちの少なくともいずれか一つの孔にまで到達する切欠き部とを有する、コリメータ。
【請求項２】
前記切欠き部はスリットである、請求項１に記載のコリメータ。
【請求項３】
ＭＲＩ装置と放射線検出機器とを有するマルチモダリティシステムの前記放射線検出機器に備えられたコリメータ積層体であって、
前記コリメータ積層体は、積層された複数のコリメータを有し、
前記複数のコリメータの各々は、
端面と、
放射線が通過する複数の孔と、
前記端面から前記複数の孔のうちの少なくともいずれか一つの孔にまで到達する切欠き部とを有する、コリメータ積層体。
【請求項４】
前記複数のコリメータのうちの少なくとも一つのコリメータの切欠き部は、他のコリメータの切欠き部とは異なる位置に形成されている、請求項３に記載のコリメータ積層体。
【請求項５】
前記切欠き部はスリットである、請求項３又は４に記載のコリメータ積層体。
【請求項６】
ＭＲＩ装置と放射線検出機器とを有するマルチモダリティシステムであって、
前記放射線検出機器はコリメータを備えており、
前記コリメータは、
端面と、
放射線が通過する複数の孔と、
前記端面から前記複数の孔のうちの少なくともいずれか一つの孔にまで到達する切欠き部とを有する、マルチモダリティシステム。
【請求項７】
前記切欠き部はスリットである、請求項６に記載のマルチモダリティシステム。
【請求項８】
被検体を支持するクレドールを有し、
前記放射線検出機器は、前記クレドールに取り付けられている、請求項６又は７に記載のマルチモダリティシステム。
【請求項９】
ＭＲＩ装置と放射線検出機器とを有するマルチモダリティシステムであって、
前記放射線検出機器は、積層された複数のコリメータを有するコリメータ積層体を備えており、
前記複数のコリメータの各々は、
端面と、
放射線が通過する複数の孔と、
前記端面から前記複数の孔のうちの少なくともいずれか一つの孔にまで到達する切欠き部とを有する、マルチモダリティシステム。
【請求項１０】
前記複数のコリメータのうちの少なくとも一つのコリメータの切欠き部は、他のコリメータの切欠き部とは異なる位置に形成されている、請求項９に記載のマルチモダリティシステム。
【請求項１１】
前記切欠き部はスリットである、請求項９又は１０に記載のマルチモダリティシステム。
【請求項１２】
被検体を支持するクレドールを有し、
前記放射線検出機器は、前記クレドールに取り付けられている、請求項９〜１１のうちのいずれか一項に記載のマルチモダリティシステム。
【発明の詳細な説明】
【技術分野】
【０００１】
本発明は、放射線が通過する複数の孔を有するコリメータおよびコリメータ積層体、並びにそのコリメータ又はコリメータ積層体を適用したマルチモダリティシステムに関する。
【背景技術】
【０００２】
近年、複数のモダリティを組み合わせて被検体の診断を行うマルチモダリティシステム（例えば、ＰＥＴ−ＣＴ、ＰＥＴ−ＭＲＩ）が注目されている。
【非特許文献１】“サブリミ超高分解能ＰＥＴ−ＭＲＩ装置開発研究プログラム”、［平成２０年１月３１日検索］、インターネット＜ＵＲＬ：http://www.lifescience.mext.go.jp/download/40th/40-3-5.pdf＞
【発明の開示】
【発明が解決しようとする課題】
【０００３】
マルチモダリティシステムは、単一のモダリティでは得られなかった情報を得ることが可能であり、今後、ますます、開発が進んでいくと考えられる。例えば、ＭＲＩ（Magnetic Resonance Imaging）装置とＳＰＥＣＴ（Single
Photon Emission Computed Tomography）装置とが組み合わされたマルチモダリティなどの開発が考えられる。ＭＲＩ装置は、被検体の臓器や組織の形態情報を得ることができ、一方、ＳＰＥＣＴ装置は、被検体の臓器や組織の機能情報を得ることができる。したがって、ＭＲＩ装置とＳＰＥＣＴ装置とを組み合わせることによって、形態情報と機能情報とが融合された融合画像を得ることができる。このような融合画像を得ることができれば、病巣の位置をより正確に特定することができるなど、いろいろがメリットがある。しかし、ＭＲＩ装置とＳＰＥＣＴ装置とが組み合わされたマルチモダリティシステムでは、撮像中に、ＭＲＩ装置から発生する磁場によってＳＰＥＣＴ装置のコリメータに渦電流が流れた場合、融合画像にアーチファクトが現れるという問題がある。
【０００４】
本発明は、上記の事情に鑑み、融合画像に現れるアーチファクトを低減することができるコリメータおよびコリメータ積層体、並びにそのコリメータ又はコリメータ積層体を適用したマルチモダリティシステムを提供することを目的とする。
【課題を解決するための手段】
【０００５】
上記目的を達成する本発明のコリメータは、
端面と、放射線が通過する複数の孔と、を有するコリメータであって、
前記端面から前記複数の孔のうちの少なくともいずれか一つの孔にまで到達する切欠き部を有している。
上記目的を達成する本発明のコリメータ積層体は、
積層された複数のコリメータを有するコリメータ積層体であって、
前記複数のコリメータの各々は、端面と、放射線が通過する複数の孔と、を有しており、
前記複数のコリメータの各々は、前記端面から、前記複数の孔のうちの少なくともいずれか一つの孔にまで到達する切欠き部を有している。
上記目的を達成する本発明のマルチモダリティシステムは、本発明のコリメータ又はコリメータ積層体を有している。
【発明の効果】
【０００６】
本発明のコリメータは、コリメータの端面から、放射線が通過する孔にまで到達する切欠き部を有している。したがって、コリメータに流れる渦電流を低減又は除去することができる。また、本発明のマルチモダリティは本発明のコリメータを有しているので、渦電流によるアーチファクトが低減又は除去された融合画像を取得することができる。
【発明を実施するための最良の形態】
【０００７】
以下、図面を参照しながら、発明を実施するための最良の形態を詳細に説明する。尚、本発明は、発明を実施するための最良の形態に限定されるものではない。
【０００８】
図１は、本発明のマルチモダリティシステムの一例の斜視図である。
マルチモダリティシステム１は、ＭＲＩ装置２と、ＳＰＥＣＴ装置３と、を有している。ＳＰＥＣＴ装置３は、２つの放射線検出機器３０を有している。放射線検出機器３０は、クレドール４に取り付けられている。放射線検出機器３０の間には、被検体１０が横になっている。
【０００９】
被検体１０を撮像する場合、被検体１０は、ＳＰＥＣＴ装置３と一緒に、ＭＲＩ装置２のボア２ａ内に搬入される。ＭＲＩ装置２は、ボア２ａ内に搬入された被検体１０を撮像することにより、被検体１０の臓器や組織の形態情報を取得する。
【００１０】
また、被検体１０には、放射性核種が投与されている。したがって、ＳＰＥＣＴ装置３の放射線検出機器３０は、被検体１０の中の放射性核種から放射されたガンマ線を検出する。ＳＰＥＣＴ装置３は、検出したガンマ線に基づいて、被検体１０の臓器や組織の機能情報を取得する。したがって、ＭＲＩ装置２とＳＰＥＣＴ装置３とを組み合わせることによって、形態情報と機能情報とが融合された融合画像を得ることができる。
【００１１】
図２は、放射線検出機器３０の拡大図である。
【００１２】
放射線検出機器３０は、検出器３１を有している。検出器３１は、被検体１０の中の放射性核種から放射されたガンマ線を検出する。また、放射線検出機器３０はコリメータ積層体３２を有している。本実施形態では、このコリメータ積層体３２を備えることによって、渦電流に起因したアーチファクトが除去又は低減された高品質な融合画像を得ることができる。以下に、コリメータ積層体３２の具体的な構造について先に説明し、その後に、渦電流に起因したアーチファクトが除去又は低減される理由について説明する。
【００１３】
コリメータ積層体３２は、放射線通過部３３を有している。放射線通過部３３は、コリメータ積層体３２を貫通する複数の放射線用貫通孔３４を有している。ここでは、複数の放射線用貫通孔３４は、ｍ行ｎ列（例えば、３２行３２列）の格子状に配列されているが、これらの放射線用貫通孔３４の数や、放射線用貫通孔３４の配列パターンは、適宜変更可能である。これらの放射線用貫通孔３４は、所定の方向から放射線検出機器３０に飛来してきたガンマ線４０を通過させるが、その他の方向から飛来してきたガンマ線４１はできるだけ遮蔽するように形成されている。したがって、検出器３１は、所定の方向から飛来してきたガンマ線４０を効率よく検出することができる。
【００１４】
コリメータ積層体３２は、放射線通過部３３の周辺部３５に、ボルト３６が貫通する４つのボルト用貫通孔３５１〜３５４を有している。コリメータ積層体３２は、ボルト３６によって、検出器３１の前面に取り付けられる。
【００１５】
図３は、コリメータ積層体３２の分解斜視図である。
【００１６】
コリメータ積層体３２は、複数のコリメータを積層することによって構成されている。本実施形態では、コリメータ積層体３２は、８枚のコリメータ３２１〜３２８を積層することによって構成されているが、コリメータの積層枚数は、８枚より少なくしてもよく、又は８枚より多くてもよい。これらのコリメータ３２１〜３２８が積層されることにより、図２に示すようなコリメータ積層体３２が構成される。
【００１７】
次に、コリメータ積層体３２を構成するコリメータ３２１〜３２８の具体的な構造について説明する。コリメータ３２１〜３２８の説明にあたっては、先にコリメータ３２１について説明する。
【００１８】
図４は、コリメータ３２１の正面図、図５は、図４のＡ−Ａ断面図、図６は、図４のＢ−Ｂ断面図である。
【００１９】
コリメータ３２１は、図４に示すように、略正方形の形状のコリメータであり、４つの側端面Ｓ１、Ｓ２、Ｓ３、およびＳ４を有している。
【００２０】
コリメータ３２１は、放射性核種から放射されたガンマ線を通過させるための放射線通過領域Ｒ１を有している。放射線通過領域Ｒ１は、ｍ行ｎ列（例えば、３２行３２列）の格子状に配された複数の貫通孔Ｈを有している。複数の貫通孔Ｈは、図５および図６に示すように、コリメータ３２１の表面ＦＳから裏面ＢＳを貫通するように形成されている。尚、説明の便宜上、放射線通過領域Ｒ１の角部分に形成されている貫通孔は、符号「Ｈ」の代わりに、符号「Ｈ１」、「Ｈ２」、「Ｈ３」、および「Ｈ４」が付されている（図４参照）。
【００２１】
また、各コリメータ３２１は、図４に示すように、放射線通過領域Ｒ１を取り囲むように広がる周辺領域Ｒ２に、ボルト３６（図２参照）が挿通される貫通孔Ｐ１〜Ｐ４を有している。貫通孔Ｐ１〜Ｐ４も、コリメータ３２１の表面ＦＳから裏面ＢＳを貫通するように形成されている（図５参照）。
【００２２】
更に、コリメータ３２１は、コリメータ３２１の一部を切り取るように形成されたスリット状の切欠き部３２１ａを有している。
【００２３】
コリメータ３２１の切欠き部３２１ａは、図６に示すように、４つの側端面Ｓ１〜Ｓ４のうちの側端面Ｓ１から、放射線通過領域Ｒ１の貫通孔Ｈ１に到達するように形成されている。したがって、切欠き部３２１ａは、貫通孔Ｈ１に繋がっている。また、切欠き部３２１ａは、コリメータ３２１の表面ＦＳから裏面ＢＳを貫通するようにも形成されている（図６参照）。したがって、図４に示すように、周辺領域Ｒ２の貫通孔Ｐ１側の領域ｒ２１は、周辺領域Ｒ２の貫通孔Ｐ４側の領域ｒ２２から分離されている。
【００２４】
コリメータ３２１は、上記のような構造を有している。
【００２５】
他のコリメータ３２２〜３２８も、コリメータ３２１と同様に、４つの側端面Ｓ１、Ｓ２、Ｓ３、およびＳ４を有しており、放射線通過領域Ｒ１にはｍ行ｎ列の複数の貫通孔Ｈを有し、周辺領域Ｒ２には４つの貫通孔Ｐ１、Ｐ２、Ｐ３、およびＰ４を有している。更に、他のコリメータ３２２〜３２８も、コリメータ３２１と同様に、切欠き部を有している。したがって、８枚のコリメータ３２１〜３２８は、ほとんど同じ構造を有している。ただし、８枚のコリメータ３２１〜３２８は、切欠き部の形成位置が異なっている。以下に、８枚のコリメータ３２１〜３２８の切欠き部がどの位置に形成されているかについて説明する。
【００２６】
図７は、コリメータ３２１〜３２８の正面図、図８は、各コリメータ３２１〜３２８の切欠き部の形成位置を説明する表である。
【００２７】
コリメータ３２１〜３２８の各々は、図７に示すように、４つの側端面Ｓ１、Ｓ２、Ｓ３、およびＳ４を有しており、放射線通過領域Ｒ１には複数の貫通孔Ｈを有し、周辺領域Ｒ２には４つの貫通孔Ｐ１、Ｐ２、Ｐ３、およびＰ４を有している。更に、コリメータ３２１〜３２８は、切欠き部３２１ａ〜３２８ａを有している。しかし、コリメータ３２１〜３２８は、切欠き部３２１ａ〜３２８ａの形成位置が互いに異なっている。
【００２８】
図８の表には、「側端面」の欄と、「放射線通過領域Ｒ１の貫通孔」の欄が設けられている。「側端面」の欄には「Ｓ１」、「Ｓ２」、「Ｓ３」、又は「Ｓ４」の文字が記載されている。放射線通過領域Ｒ１の貫通孔」の欄には、「Ｈ１」、「Ｈ２」、「Ｈ３」、又は「Ｈ４」が設けられている。
【００２９】
例えば、コリメータ３２１の切欠き部３２１ａでは、「側端面」の欄に「Ｓ１」と記載されており、「放射線通過領域Ｒ１の貫通孔」の欄に「Ｈ１」と記載されている。これは、コリメータ３２１の切欠き部３２１ａが、側端面Ｓ１から放射線通過領域Ｒ１の貫通孔Ｈ１に到達するように形成されていることを意味する（図４および図７参照）。他のコリメータの切欠き部についても、同様に考えることができる。例えば、コリメータ３２７の切欠き部３２７ａでは、「側端面」の欄に「Ｓ４」と記載されており、「放射線通過領域Ｒ１の貫通孔」の欄に「Ｈ４」と記載されている。これは、コリメータ３２７の切欠き部３２７ａが、側端面Ｓ４から放射線通過領域Ｒ１の貫通孔Ｈ４に到達するように形成されていることを意味する（図７参照）。
【００３０】
したがって、図７および図８から、コリメータ３２１〜３２８の切欠き部３２１ａ〜３２８ａは、互いに異なる位置に形成されていることがわかる。
【００３１】
上記のような切欠き部３２１ａ〜３２８ａを有するコリメータ３２１〜３２８が積層されることによって、コリメータ積層体３２が構成される。
【００３２】
図９は、コリメータ積層体３２の正面図、図１０は、図９のＡ−Ａ断面図である。
【００３３】
コリメータ積層体３２は、図９に示すように、放射線通過部３３に、複数の放射線用貫通孔３４を有している。尚、説明の便宜上、放射線通過部３３の角部分に形成されている放射線用貫通孔は、符号「３４」の代わりに、符号「３４ａ」、「３４ｂ」、「３４ｃ」、および「３４ｄ」が付されている。放射線用貫通孔３４ａは、図１０に示すように、コリメータ３２１〜３２８の放射線通過領域Ｒ１内の貫通孔Ｈ１が一列に連なることによって構成される。コリメータ積層体３２の他の放射線用貫通孔も、放射線用貫通孔３４ａと同様に、コリメータ３２１〜３２８の放射線通過領域Ｒ１の貫通孔が一列に連なることによって構成される。例えば、コリメータ積層体３２の放射線用貫通孔３４ｃは、図１０に示すように、コリメータ３２１〜３２８の放射線通過領域Ｒ１の貫通孔Ｈ３が一列に連なることによって構成される。
【００３４】
また、コリメータ積層体３２は、放射線通過部３３の周辺部３５に、４つのボルト用貫通孔３５１〜３５４を有している。これらのボルト用貫通孔３５１〜３５４のうちのボルト用貫通孔３５１は、図１０に示すように、コリメータ３２１〜３２８の周辺領域Ｒ２内の貫通孔Ｐ１が一列に連なることによって構成される。コリメータ積層体３２の他のボルト用貫通孔３５２、３５３、および３５４も、ボルト用貫通孔３５１と同様に、コリメータ３２１〜３２８の周辺領域Ｒ２の貫通孔が一列に連なることによって構成される。例えば、コリメータ積層体３２のボルト用貫通孔３５３は、図１０に示すように、コリメータ３２１〜３２８の周辺領域Ｒ２の貫通孔Ｐ３が一列に連なることによって構成される。
【００３５】
コリメータ３２１〜３２８の切欠き部３２１ａ〜３２８ａは、互いに異なる位置に形成されている（図４参照）。したがって、コリメータ積層体３２（積層されたコリメータ３２１〜３２８）の切欠き部３２１ａ〜３２８ａは、図９に示すように、互いに重ならない位置に配されている。
【００３６】
上記のように構成されたコリメータ積層体３２が、マルチモダリティシステム１のＳＰＥＣＴ装置３に使用されている。このコリメータ積層体３２を備えることによって、渦電流に起因したアーチファクトが除去又は低減された高品質な融合画像を得ることができるという効果がある。次に、この効果が得られる理由を説明するために、コリメータ積層体３２の代わりに、従来から存在するコリメータを使用した場合に生ずる問題について先に説明する。
【００３７】
図１１は、従来から存在するコリメータを使用した場合に生じる問題を説明する図である。
【００３８】
従来のコリメータ３００は、コリメータ積層体３２が有する切欠き部３２１ａ〜３２８ａは備えていない。したがって、従来のコリメータ３００をマルチモダリティシステム１のＳＰＥＣＴ装置３に使用すると、コリメータ３００の放射線通過部３３０の周辺部３５０に渦電流３０１が流れる。被検体１０の撮像中に渦電流３０１が流れてしまうと、マルチモダリティシステム１により得られる融合画像に、渦電流３０１に起因したアーチファクトが現れる恐れがある。したがって、マルチモダリティシステム１に従来のコリメータ３００を適用しても、高品質な融合画像を得ることができず、例えば、病巣の位置をより正確に特定することが困難であるという問題がある。
【００３９】
これに対して、本発明の一形態であるコリメータ積層体３２は、切欠き部３２１ａ〜３２８ａを有している。したがって、コリメータ積層体３２には実質的に渦電流３０１が流れないようにすることができ、渦電流３０１に起因したアーチファクトが除去又は低減された高品質な融合画像を得ることができる。
【００４０】
上記の実施形態では、各切欠き部３２１ａ〜３２８ａは、放射線通過領域Ｒ１内の一つの貫通孔にのみ到達するように形成されている。例えば、切欠き部３２１ａは、放射線通過領域Ｒ１内の一つの貫通孔Ｈ１にのみ到達するように形成されている（図４参照）。しかし、一つの切欠き部を放射線通過領域Ｒ１内の複数の貫通孔に到達させることも可能である。
【００４１】
尚、上記の実施形態では、コリメータ積層体３２が使用されているが、コリメータ積層体３２の代わりに、コリメータ３２１〜３２８のうちのいずれか一枚のコリメータを使用することも可能である。一枚のコリメータであっても、コリメータには切欠き部が形成されているので、渦電流３０１を防止することができる。ただし、コリメータを一枚しか使用しない場合、一枚のコリメータの切欠き部が、本来は遮蔽したいガンマ線４１（図２参照）の通り道になり、ガンマ線４１が検出器３１で検出されやすくなる。ガンマ線４１が検出されやすくなると、画像にアーチファクトが生じやすくなるので、一枚のコリメータよりもコリメータ積層体３２を使用することが好ましい。ただし、大きなアーチファクトが現れないのであれば、一枚のコリメータを使用してもよい。
【００４２】
また、上記の実施形態では、各コリメータ３２１〜３２８の切欠き部３２１ａ〜３２８ａは、互いに異なる位置に形成されている。しかし、各コリメータ３２１〜３２８の切欠き部３２１ａ〜３２８ａの全てが、異なる位置に形成されている必要はない。例えば、コ８個のコリメータ３２１〜３２８のうちの７個のコリメータは同じ位置に切欠き部を有し、残りの一つのコリメータが、７個のコリメータとは異なる位置に切欠き部を有するようにしてもよい。
【００４３】
図１２は、８個のコリメータ３２１〜３２８のうちの７個のコリメータ３２２〜３２８が同じ位置に切欠き部を有し、コリメータ３２１が、７個のコリメータ３２２〜３２８とは異なる位置に切欠き部を有している一例を示す図である。
【００４４】
図１２では、７個のコリメータ３２２〜３２８は、側端面Ｓ２から放射線通過領域Ｒ１の貫通孔Ｈ１にまで延在する切欠き部３２２ａ〜３２８ａを有しており、コリメータ３２１のみが、側端面Ｓ１から放射線通過領域Ｒ１の貫通孔Ｈ１にまで延在する切欠き部３２１ａを有している。このように、全てのコリメータの切欠き部が異なる位置に形成されている必要はなく、コリメータ積層体は、同じ位置に形成された切欠き部を有していてもよい。
【００４５】
尚、図１２において、コリメータ３２１の切欠き部３２１ａも、他のコリメータ３２２〜３２８と同様に、側端面Ｓ２から放射線通過領域Ｒの孔Ｈ１にまで延在するように形成してもよい。ただし、この場合、全てのコリメータ３２１〜３２８の切欠き部３２１ａ〜３２８ａが同じ位置に形成される。したがって、同じ位置に形成された切欠き部３２１ａ〜３２８ａが、本来は遮蔽したいガンマ線４１（図２参照）の通り道となり、その結果、ガンマ線４１が検出器３１で検出されやすくなる恐れがある。したがって、融合画像にアーチファクトを生じる恐れがあるので、少なくとも一枚のコリメータの切欠き部は、他のコリメータの切欠き部とは異なる位置に形成しておくことが望ましい。ただし、大きなアーチファクトが現れないのであれば、全てのコリメータの切欠き部を同じ位置に形成してもよい。
【００４６】
また、上記の実施形態では、各コリメータ３２１〜３２８の切欠き部３２１ａ〜３２８ａは、放射線通過領域Ｒ１の貫通孔Ｈ１〜Ｈ４のうちのいずれかの貫通孔に到達するように形成されている。しかし、各切欠き部は、孔Ｈ１〜Ｈ４以外の別の孔に到達するように形成されてもよい。
【００４７】
また、上記の実施形態では、コリメータ積層体３２に渦電流が流れないようにするため、コリメータ積層体３２の各コリメータ３２１〜３２８に直線形状の切欠き部（スリット）３２１ａ〜３２８ａが形成されている。しかし、各コリメータ３２１〜３２８には、別の形状の切欠き部を形成してもよい。
【００４８】
図１３は、別の形状の切欠き部を有するコリメータを示す図である。
【００４９】
図１３のコリメータ３２１’は、Ｖ字形状の切欠き部３２１ａ’を有している。切欠き部３２１ａ’は、コリメータ３２１’の側端面Ｓ１から放射線通過領域の貫通孔Ｈ５に到達するように形成されている。このように、コリメータに設けられる切欠き部は、図４に示す形状には限られず、図１３に示す形状の切欠き部など、種々の形状の切欠き部を使用することができる。
【００５０】
更に、コリメータの切欠き部は、直線形状やＶ字形状以外の別の形状とすることもできる。
【００５１】
図１４は、直線形状およびＶ字形状以外の別の形状の切欠き部を有するコリメータを示す図である。
【００５２】
図１４には、ひし形の形状の切欠き部３２１ａ’’を有するコリメータが示されている。このように、切欠き部は、様々な形状とすることができる。
【００５３】
尚、上記の実施形態のマルチモダリティ１は、ＭＲＩ装置２とＳＰＥＣＴ装置３との組合せである。しかし、本発明は、コリメータ又はコリメータ積層体が必要となるマルチモダリティシステムであれば、例えば、ＭＲＩ装置とＰＥＴ（Positron Emission Tomography）装置との組合せなど、別のマルチモダリティシステムに対しても適用することができる。
【図面の簡単な説明】
【００５４】
【図１】本発明のマルチモダリティシステムの一例の斜視図である。
【図２】放射線検出機器３０の拡大図である。
【図３】コリメータ積層体３２の分解斜視図である。
【図４】コリメータ３２１の正面図である。
【図５】図４のＡ−Ａ断面図である。
【図６】図４のＢ−Ｂ断面図である。
【図７】コリメータ３２１〜３２８の正面図である。
【図８】各コリメータ３２１〜３２８の切欠き部の形成位置を説明する表である。
【図９】コリメータ積層体３２の正面図である。
【図１０】図９のＡ−Ａ断面図である。
【図１１】従来から存在するコリメータを使用した場合に生じる問題を説明する図である。
【図１２】８個のコリメータ３２１〜３２８のうちの７個のコリメータ３２２〜３２８が同じ位置に切欠き部を有し、コリメータ３２１が、７個のコリメータ３２２〜３２８とは異なる位置に切欠き部を有している一例を示す図である。
【図１３】別の形状の切欠き部を有するコリメータを示す図である。
【図１４】直線形状およびＶ字形状以外の別の形状の切欠き部を有するコリメータを示す図である。
【符号の説明】
【００５５】
１  マルチモダリティシステム
２  ＭＲＩ装置
２ａ  ボア
３  ＳＰＥＣＴ装置
１０  被検体
３０  放射線検出機器
３１  検出器
３２  コリメータ積層体
３３  放射線通過部
３４  放射線用貫通孔
３５  周辺部
３６  ボルト
４０、４１  ガンマ線
３２１、３２２、３２３、３２４、３２５、３２６、３２７、３２８  コリメータ
３２１ａ、３２２ａ、３２３ａ、３２４ａ、３２５ａ、３２６ａ、３２７ａ、３２８ａ  切欠き部
３５１、３５２、３５３、３５４  ボルト用貫通孔
【図１】
0005047826.tif 000002
【図２】
0005047826.tif 000003
【図３】
0005047826.tif 000004
【図４】
0005047826.tif 000005
【図５】
0005047826.tif 000006
【図６】
0005047826.tif 000007
【図７】
0005047826.tif 000008
【図８】
0005047826.tif 000009
【図９】
0005047826.tif 000010
【図１０】
0005047826.tif 000011
【図１１】
0005047826.tif 000012
【図１２】
0005047826.tif 000013
【図１３】
0005047826.tif 000014
【図１４】
0005047826.tif 000015